(57)【特許請求の範囲】
【請求項１】
読取るべき原稿の表面に沿って回転するローラと、該ローラに関連してその回転を検出するための回転検出手段とを有する画像読取装置を本体上に設けられた被着脱部に着脱可能に設け、前記本体上に前記原稿の挿入、または排出を検出する用紙送り検出スイッチを設けて、前記本体の前記被着脱部に前記画像読取装置を挿着、または離脱するときに、前記被着脱部との間で前記ローラを回転させ、且つ前記画像読取装置を前記用紙送り検出スイッチと係脱させ、前記用紙送り検出スイッチのＯＮ・ＯＦＦ状態と前記回転検出手段の出力とにより、前記画像読取装置の本体への着脱を検出するようにしたことを特徴とする情報処理装置。
【請求項２】
前記本体の上面部に搭載したキーボードと、該本体の上面部に対して開閉可能な表示部とを設け、該表示部から突出し、前記本体の上面部に軸支された一対の回動軸部間の前記本体に前記被着脱部を設けたことを特徴とする請求項１記載の情報処理装置。
【請求項３】
前記画像読取装置を前記本体の前記被着脱部から離脱するときには、前記本体に沿わせて後方から前方へ前記画像読取装置の前記ローラを回転させて、該ローラの回転に応じて、前記回転検出手段から出力されたパルスを計数するとともに、前記本体に設けられた前記用紙送り検出スイッチをＯＦＦ、ＯＮ、ＯＦＦの順に操作させてなるようにしたことを特徴とする請求項１または２のいずれかに記載の情報処理装置。
【請求項４】
前記画像読取装置を前記本体の前記被着脱部に挿着するときには、前記本体に沿わせて前方から後方へ前記画像読取装置を移動させて、前記本体に設けられた前記用紙送り検出スイッチをＯＦＦ，ＯＮ、ＯＦＦの順に操作させるとともに、前記画像読取装置の前記ローラを回転させて、該ローラの回転に応じて、前記回転検出手段から出力されたパルスを計数するようにしたことを特徴とする請求項１または２のいずれかに記載の情報処理装置。
【発明の詳細な説明】
【０００１】
【発明の属する技術分野】
本発明は、スキャナ等の画像読取装置を備えたワードプロセッサおよびパーソナルコンピュータなどの情報処理装置に関し、特に画像読取装置の装着、非装着の検出を簡素化した情報処理装置に関する。
【０００２】
【従来の技術】
従来、ワードプロセッサ、パーソナルコンピュータなどの情報処理装置への文字情報や画像情報の入力は、キーボード操作によるキー入力とスキャナ等の画像読取装置による光学的読取りとが利用されている。
上記画像読取装置は、装置本体に設けられた紙送り機構によって、セットされた原稿を自動的に搬送させて、その原稿を光学的に走査して画像情報を読取り、プリンタで印刷したり、加工して文書情報の一部として使用したりする。
また、厚みの有る書物や、新聞などの大きなサイズを画像情報として読取る際には、操作者は、画像読取装置を情報処理装置から取外しして、例えば、書物の必要な箇所の上を画像読取装置を手で前方へ移動操作して光学的に走査して、その画像情報を読取ることができる。
【０００３】
このように画像読取装置を備えた情報処理装置では、画像読取装置が装置に装着しているか、それとも装置から取外ししてハンディスキャナとして使用しているかを識別するための独立した検出スイッチが少なくとも１個設けられている。
この検出スイッチは、情報処理装置に画像読取装置を挿着したときに、画像読取装置の一部で押圧されてＯＮ状態となり、また、逆に画像読取装置を情報処理装置から取外すときには、画像読取装置による押圧が解除されて、検出スイッチはＯＦＦ状態となる。
【０００４】
【発明が解決しようとする課題】
ところで、上記検出スイッチは、情報処理装置に画像読取装置を装着して画像の読取りを行う場合（シートフィーダで使用）と、情報処理装置から画像読取装置を外して単独で画像の読取りを行う場合（ハンディ・スキャナで使用）とで操作手順が異なる。そのとき、上記検出スイッチで画像読取装置の情報処理装置への装着の有無を確実に検出する必要があり、精度が要求される検出スイッチは、比較的高価となってしまうという問題があった。
また、上述したように、オートフィーダとハンディ・スキャナの２通りの使い方があるので、操作性が優れたスキャナを備えた情報処理装置が要求されている。
【０００５】
本発明の目的は、画像読取装置の情報処理装置への装着の有無を検出する上記検出スイッチを用いずに画像読取装置の情報処理装置への着脱を確実に、且つ簡単に検出する情報処理装置を提供することにある。
【０００６】
【課題を解決するための手段】
上記課題を解決するための第１の解決手段として、読取るべき原稿の表面に沿って回転するローラと、ローラに関連してその回転を検出するための回転検出手段とを有する画像読取装置を本体上に設けられた被着脱部に着脱可能に設け、本体上に原稿の挿入、または排出を検出する用紙送り検出スイッチを設けて、本体の被着脱部に画像読取装置を挿着、または離脱するときに、被着脱部との間でローラを回転させ、且つ画像読取装置を用紙送り検出スイッチと係脱させ、用紙送り検出スイッチのＯＮ・ＯＦＦ状態と回転検出手段の出力とにより、画像読取装置の本体への着脱を検出するようにしたものである。
【０００７】
また、第２の解決手段として、本体の上面部に搭載したキーボードと、本体の上面部に対して開閉可能な表示部とを設け、表示部から突出し、本体の上面部に軸支された一対の回動軸部間の上記本体に上記被着脱部を設けたものである。
【０００８】
また、第３の解決手段として、画像読取装置を本体の被着脱部から離脱するときには、本体に沿わせて後方から前方へ画像読取装置のローラを回転させて、このローラの回転に応じて、回転検出手段から出力されたパルスを計数するとともに、本体に設けられた用紙送り検出スイッチをＯＦＦ、ＯＮ、ＯＦＦの順に操作させてなるようにしたものである。
【０００９】
また、第４の解決手段として、画像読取装置を本体の被着脱部に挿着するときには、本体に沿わせて前方から後方へ画像読取装置を移動させて、本体に設けられた用紙送り検出スイッチをＯＦＦ，ＯＮ、ＯＦＦの順に操作させるとともに、画像読取装置のローラを回転させて、このローラの回転に応じて、回転検出手段から出力されたパルスを計数するようにしたものである。
【００１０】
【発明の実施の形態】
図１及び図２に示すように、本発明の一実施形態である情報処理装置１０は、箱型をした本体１１の上面部に、複数の入力キーからなるキーボード１２を設けている。このキーボード１２に対して開状態または閉状態となる表示部（ディスプレイ）１３が、表示部１３の下端隅部に突設した一対の回転軸部１５を介して、本体１１に設けられている。これら回転軸部１５間の本体１１には画像読取装置としてのスキャナ２０が着脱可能に配置されている。また、本体１１にはスキャナ２０と対向配置された原稿送り機構２１が一体に取付け固定されている。
表示部１３は、例えば液晶表示装置（ＬＣＤ）の表示パネルからなり、本体１１に対して上記回転軸部１５、すなわちヒンジ１５ａ，１５ｂを用いて軸支され、矢印Ａ方向に開閉（折り畳み）可能に取付けられている。
【００１１】
図２に示すように、スキャナ２０は、通常、情報処理装置１０の一対のヒンジ１５ａ，１５ｂ間に配置されている。図１に示すように、本体１１から離脱させたときには、ハンディタイプのスキャナとして使用される。
図４及び図５、図６に示すように、上記スキャナ２０は、略長方体をした本体２０ａの各側板部２０ｂに傾斜部２０ｈをもつＶ字状のガイド溝２０ｃがそれぞれ形成されている。このガイド溝２０ｃの傾斜部２０ｈには三角突起２０ｄが下方に突設している。図６に示すように、本体２０ａの下面部２０ｉの前方には細長い矩形状をした透明な読取ガラス５３が取付けられ、下面部２０ｉの後方には３つの取付穴２０ｋが形成されている。
さらに、本体２０ａ内には、ＬＥＤアレイなどの光源５４、図示しないＣＣＤライン・イメージ・センサ等の画像読取素子、ミラー、レンズなどが収納されていて、読取ガラス５３から光源５４、ミラー等が目視可能に配設されている。
また、金属製のシャフト５６が本体２０ａの側板部２０ｂ間に回転可能に軸支されていて、３個のローラ５５がシャフト５６に嵌着されているとともに、上記取付穴２０ｋから外部に一部露出している。
【００１２】
図１０に示すように、シャフト５６の一端には、第１ギヤ５７が取付けられ、第１ギヤ５７には第２ギヤ５８が噛合っている。そして、第２ギヤ５８には第３ギヤ５９が噛合っていて、第３ギヤ５９にはエンコーダ６０と噛合うように取付けられている。
回転検出手段としての上記エンコーダ６０は、複数のスリット６０ａが回転軸６０ｃの周囲に均一に形成された回転円盤６０ｂと、回転円盤６０ｂの面に対して、一定の隙間を設けて対向配置され、スリット６０ａの動きによって光を遮断、または非遮断するフォト・センサ６０ｄとから主に構成されている。
図３に示すように、本体１１にスキャナ２０を装着した状態では、基部２１ａ上の原稿が摺接する摺接面２１ｃとスキャナ２０の下面部２０ｉとの隙間部分のうち、前方が原稿挿入口２２、後方が原稿排出口２５となっている。そして、情報処理装置１０とスキャナ２０とは、ケーブル６２によって電気的に接続されている（図４参照）。
【００１３】
図７乃至図９に示すように、本体１１に装着したスキャナ２０に原稿を搬入するための原稿送り機構２１は、略長方体をしたプラスチック製の基部２１ａを有し、この基部２１ａが情報処理装置１０の本体１１に一体に取付け固定されて、本体１１の一部を構成している（図３参照）。
図８に示すように、基部２１ａ上面部の両端には、互いに断面が逆Ｌ字状をした被着脱部であるガイド受け部２１ｂが向き合うように立設している。その各ガイド受け部２１ｂの先端が折り曲げ部２１ｆとなっていて、このガイド受け部２１ｂの内方側の基部２１ａ上には矩形状をした切欠孔２１ｇがそれぞれ貫通形成されている。
基部２１ａの中央部分には、Ａ４サイズの原稿の幅寸法よりも少し幅広に、且つ僅かに凹状に窪ませて、段差ｔとなる凹面部２１ｃが設けられ、基部２１ａの上面との段差ｔをガイドにして、図８の矢印Ｂ方向に原稿が凹面部２１ｃ上を摺接しながら移動できるようになっている。この凹面部２１ｃには光を反射する白色の帯状をしたテープ２３が長手方向に貼り付けられている。このテープ２３は画像読取りの開始位置に貼り付けられていて、原稿のシェーデング補正時に使用するものである。そして、このテープ２３に沿うように、凹面部２１ｃの後方側には３個の矩形孔２４が所定の間隔を設けて貫通形成されている。また、テープ２３を挟んで、上記矩形孔２４とは反対側（前方）には、小さな孔部２６が１個形成されている。
【００１４】
基部２１ａの前方端には、平板状をした鍔部２１ｄが基部２１ａと一体に設けられ、鍔部２１ｄには、孔部２６に近接して、上方に突出した突出部２７が設けられている。原稿送り機構２１は鍔部２１ｄに形成された複数個の孔部に図示しないネジを螺入して、本体１１に取付けられるようになっている。
図７及び図９に示すように、基部２１ａの各側板部２１ｅには、円筒状をした３個のネジ受け部２８と、丸孔２９と支持孔３０とがそれぞれ形成されている。
図４及び図７に示すように、側板部２１ｅの一方には、複数のギヤを噛合せたギヤ部３１が設けられ、このギヤ部３１を３個のネジ受け部２８にネジ止めされた金属板３２で支持している。さらに、金属板３２にはモータ３３が取付け固定され、モータ３３の回転可能なモータ軸（図示せず）を金属板３２からギヤ部３１側へ突出させて、モータ３３の駆動力をモータ軸に噛合ったギヤ部３１に伝達するようにしている。
【００１５】
図１０に示すように、原稿送り機構２１の基部２１ａ内には、金属製のシャフト３４が１本回転可能に設けられていて、このシャフト３４には円筒状をしたゴム製のローラ３５が３個嵌入して取付けられ、凹面部２１ｃの矩形孔２４からそれぞれ僅かに突出している。
そして、シャフト３４の両端は、側板部２１ｅの丸孔２９に軸支されたギヤ部３１の一部が連結し、モータ３３の駆動力によってギヤ部３１とともに回転するように取付けられている。
また、シャフト３４を支持する金属製のシャフト支持部３６が基部２１ａに取付けられ、このシャフト支持部３６に圧接ばね３９ａ、樹脂製の支持部材３９ｂ（図１０参照）を載置して、シャフト３４を上方に弾性付勢している。
【００１６】
図９に示すように、への字状（略逆Ｖ字状）をした樹脂製の可動片３７は、その中央に回転軸となる軸部３７ａを形成していて、一端の突部にはスプリングばね３８が取付けられ、その他端には薄肉状をした係止片３７ｂとなっている。そして、係止片３７ｂの近傍部分が凸部３７ｃとなっていて、切欠孔２１ｇからこの凸部３７ｃが突出している。
図８及び図９に示すように、基部２１ａの内部両端側には、可動片３７がそれぞれ配設され、可動片３７の一部が基部２１ａの切欠孔２１ｇから露出している。
そして、可動片３７は、支持孔３０に軸部３７ａが回転可能に軸支されて、スプリングばね３８が基部２１ａの内壁に弾接するとともに、係止片３７ｂが基部２１ａに当接する。よって、常に可動片３７の凸部３７ｃが基部２１ａの上面から突出するようになっている。
【００１７】
次に、図１０に示すように、原稿の有無を検出するための用紙送り検出スイッチ４０は、樹脂製の検出レバー４１と、この検出レバー４１が横切ることによって光を遮断、または非遮断するフォト・インタラプタ４２とから主に構成されている。
検出レバー４１には、その中央に凸状軸部４１ａが設けられていて、一端には突起４１ｂが、他端には薄肉状をした舌片４１ｃが設けられている。
フォト・インタラプタ４２は、突出部２７に対向して配設され、検出レバー４１の突起４１ｂが凹面部２１ｃの孔部２６から常に突出するように図示しない捩りコイルばねによって弾性付勢されている。それによって、舌片４１ｃがフォト・インタラプタ４２の光を遮断する位置に配置されて、用紙送り検出スイッチ４０は通常ＯＦＦ状態となっている。
【００１８】
次に、図３に示すように、情報処理装置１０の本体１１後方に配設されたプリンタ６５は、モータ６６と、複数のギヤを噛合わせたギヤ群６７と、いくつかの給紙ローラ６８と、紙送りローラ（図示せず）と、紙排出ローラ６９等から構成されている。また、本体１１の側板部間にはプラテンを橋架して支持され、このプラテンに対向して、プラテンと接離可能な印字ヘッドを有し、往復移動するキャリッジ７０を有している。印字ヘッドの近傍にはインクリボンを内部に収納したリボンカセットがこのキャリッジ７０に着脱可能に取付けられている。そして、本体１１の下面側に設けられた給紙トレイ１１ｂから供給された用紙（図示せず）は、モータ６６の駆動力によって回転するギヤ群６７を介して、複数の給紙ローラ６８等を回転させて、プラテンと印字ヘッド間に搬送されるようになっている。プラテンに印字ヘッドを押圧することにより、適時印刷記録信号に基づいて用紙にはインクが転写するようになっている。さらに、紙排出ローラ６９によって、印字記録された用紙は、外部に搬送されるようになっている。
【００１９】
次に、このように構成された情報処理装置１０において、スキャナ２０を装着した本体１１からスキャナ２０を取外す動作を説明する。
図９に示すように、通常、基部２１ａの上面部にはスキャナ２０が装着されている。このとき、ガイド受け部２１ｂの折り曲げ部２１ｆにはスキャナ２０のガイド溝２０ｃが嵌合して、スキャナ２０の三角突起２０ｄが基部２１ａ上面部の切欠孔２１ｇから突出した可動片３７の凸部３７ｃに当接して、抜け止めとなっている。
【００２０】
そして、装置１０からスキャナ２０を取外すには、操作者が基部２１ａの凹面部２１ｃに沿うようにスキャナ２０の本体２０ａをガイド受け部２１ｂをガイドにして摺接させながら前方にスライドさせる（図９の矢印Ｄ方向）。このとき、三角突起２０ｄによって前方に押圧された可動片３７が軸部３７ａを中心に時計回り方向（図９の矢印Ｃ方向）に回動し、可動片３７の凸部３７ｃがスプリングばね３８の付勢力に抗して切欠孔２１ｇ内に埋没する。
続けて、スキャナ２０の本体２０ａを前方にさらに引き出しすると、装置１０の原稿送り機構２１からスキャナ２０が外れる。その後、可動片３７は、スプリングばね３８の付勢力によって、その凸部３７ｃが切欠孔２１ｇから突出した元の位置に復帰する。このスキャナ２０の取外し動作は、表示部１３が本体１１に対して開いた状態で可能である。
反対に、情報処理装置１０にスキャナ２０を挿着するには、画像処理装置２０を図１１に示す矢印Ｅの方向に押圧して、上記手順と反対の動作を行うことで可能である。
このようにして、情報処理装置１０へのスキャナ２０の取付け、取外しが容易に行われる。
【００２１】
次に、情報処理装置１０にスキャナ２０を取り付ける際、その取付け状態を検出する動作について、以下に説明する。
図１０に示すように、情報処理装置１０にスキャナ２０が装着していない場合には、凹面部２１ｃの孔部２６から検出レバー４１の突起４１ｂが突出している。また、本体１１に軸支された３個のローラ３５の一部も圧接ばね３９ａ、支持部材３９ｂに支えられながら凹面部２１ｃの矩形孔２４からそれぞれ僅かに突出している。
先ず、図１３に示す操作手順のように、表示部（ディスプレイ）１３上にスキャナ２０の取付け有無を表示させ、操作者にスキャナ２０が装置１０に取付いた状態にあるか、それとも取外しされているかのどちらか一方を選択させて、キーボード１２からキー入力させる（図１３のステップＸ１）。
【００２２】
スキャナ２０が装置１０に装着していないとき（図１３のステップＸ１）には、操作者はキーボード１２からキー入力した後、表示部１３の表示に基づいて、図１１に示すように、装置１０の前方側から後方側（図中の矢印Ｅ方向）へスキャナ２０を本体１１（基部２１ａ）の上面部に沿うように挿入する。用紙送り検出スイッチ４０の検出レバー４１は、その突起４１ｂがスキャナ２０の下面部２０ｉに当接して下方に押圧され、孔部２６内に埋没する。凸状軸部４１ａを中心にして検出レバー４１が回転することにより、舌片４１ｃがフォト・インタラプタ４２の光を遮断から非遮断にして、用紙送り検出スイッチ４０はＯＦＦからＯＮ状態になる（図１３のステップＸ２）。
【００２３】
一方、スキャナ２０の下面部２０ｉから僅かに突出した３個のローラ５５が挿入とともに、本体１１の凹面部２１ｃに摺接しながら回転する。続いて、スキャナ２０の各ローラ５５が装置１０側のローラ３５に当接して、ローラ３５が圧接ばね３９ａに抗して下方に若干押されながら、ローラ５５とともに回転する。スキャナ２０のローラ５５が回転すると、シャフト５６が軸中心に回転し、シャフト５６の一端に取付けられた第１ギヤ５７、この第１ギヤ５７に噛合う第２ギヤ５８、第２ギヤ５８に噛合う第３ギヤ５９が順次回転して、エンコーダ６０の回転円盤６０ｂを回転させる。
回転円盤６０ｂのスリット６０ａ部分、及びスリット６０ａのない部分がフォト・センサ６０ｄの光を横切ることにより、フォト・センサ６０ｄにｎ個のパルス数を発生する（図１３のステップＸ３）。
続いて、図１２に示すように、本体１１のガイド受け部２１ｂにスキャナ２０が完全に組み込まれて挿入が止まると、検出レバー４１の舌片４１ｃがフォト・センサ６０ｄの光を遮断する元の位置に復帰して、用紙送り検出スイッチ４０はＯＦＦ状態となる（図１３のステップＸ４）。
そして、上記エンコーダ６０は、出力されたパルス数から、装置１０へスキャナ２０が装着されたことを電気的に検出し、エンコーダ６０にケーブル６２を介して電気的に接続した装置１０内のホストシステム（図示せず）で判断する（図１３のステップＸ５）。
【００２４】
次に、上記検出レバー４１の検出動作及びエンコーダ６０の検出動作が上述した手順と異なる場合には、情報処理装置１０へのスキャナ２０の取付け動作が正常に行われていないとして、次に示す処理がなされる。
すなわち、図１３のステップＸ２にて、検出レバー４１が動作しないで、用紙送り検出スイッチ４０がＯＦＦ状態のままのときには、スキャナ２０の装置１０への挿着がなされていないと判断し（ステップＸ７）、ステップＸ１に戻る。
また、エンコーダ６０に所定のｎ個のパルスが出ていないときには、画像処理装置２０が装置１０に挿着する動作がなされていない、または原稿の画像読取動作として判断し（ステップＸ８）、同じくステップＸ１に戻る。
また、ステップＸ４にて、検出レバー４１がＯＮ動作したままのときには、画像読取用の原稿がある、またはスキャナ２０が装置１０の所定位置に確実に装着していないと判断して（ステップＸ９）、同じくステップＸ１に戻る。
なお、表示部１３にてスキャナ２０の取付け有無を確認する際に、予め装置１０に装着されている場合には、キーボード１２から選択した入力キーを押すことにより、矢印Ｓのように、直接シェーディング補正などの画像読取準備へ移行する。
【００２５】
次に、表示部１３を本体１１に対して開けた状態で、スキャナ２０をハンディ・スキャナとして使用するため、情報処理装置１０からスキャナ２０を取外しし、その取外しを検出する動作について、以下に説明する。
図１２に示すように、情報処理装置１０にスキャナ２０が装着している場合には、凹面部２１ｃの孔部２６から検出レバー４１の突起４１ｂが僅かに突出している。本体１１に軸支された３個のローラ３５には、スキャナ２０のローラ５５が弾接している。
先ず、図１４に示す操作手順のように、表示部（ディスプレイ）１３上にスキャナ２０をハンディタイプで使用するか否かを表示させて、操作者にキーボード１２からどちらかを選択させて、キーボード１２から入力させる（図１４のステップＹ１）。スキャナ２０が装置１０に装着しているときには、後述するシェーディング補正が最初に行われ、読取準備が行われる（図１４のステップＹ２）。
【００２６】
続いて、図１２に示すように、表示部１３のスキャナ２０の取外し確認の表示に基づいて、操作者がスキャナ２０を手で掴んで、（基部２１ａ）のガイド受け部２１ｂからスキャナ２０のガイド溝２０ｃを外すために本体１１から前方側に向けてスキャナ２０を引き出す。
このとき、上述した図１２の状態から図１１の状態に移行し、スキャナ２０のローラ５５がローラ３５及び凹面部２１ｃに摺接しながら回転する。ローラ５５と連動するエンコーダ６０の回転円盤６０ｂが回転することによって、ｎ個のパルスが出力する（図１４のステップＹ３）。続いて、検出レバー４１の突起４１ｂがスキャナ２０の下面部２０ｉに当接して下方に押圧されることにより、フォト・インタラプタ４２は、舌片４１ｃによる光の遮断が解除されて、用紙送り検出スイッチ４０は一旦ＯＮ状態となる（図１４のステップＹ４）。続いて、スキャナ２０が凹面部２１ｃから離れることにより、検出レバー４１が元の位置に復帰して、用紙送り検出スイッチ４０はＯＦＦ状態となる（図１４のステップＹ５）。
このようにして、スキャナ２０が装置１０から取外したことを用紙送り検出スイッチ４０のＯＮ・ＯＦＦ状態と、エンコーダ６０のパルス数から検出して、装置１０の上記ホストシステムで判断される。
【００２７】
次に、上記検出レバー４１の検出動作及びエンコーダ６０の検出動作が上述した手順と異なる場合には、情報処理装置１０からのスキャナ２０の取外し動作が正常に行われていないとして、次に示す処理がなされる。
すなわち、図１４のステップＹ３にて、エンコーダ６０が所定のｎ個のパルス、が出ていないときには、スキャナ２０が装置１０に装着したままであるとして判断し（ステップＹ７）、ステップＹ１に戻る。また、検出レバー４１が動作しないときには、スキャナ２０が装置１０に装着したままであると判断し（ステップＹ８）、同じくステップＹ１に戻る。
また、検出レバー４１が一旦動作して、用紙送り検出スイッチ４０がＯＦＦからＯＮ状態となるが、そのままＯＮ状態が続いたときには、画像読取用の原稿がある、またはスキャナ２０が装置１０の所定位置に確実に装着していないと判断して（ステップＹ９）、同じくステップＹ１に戻る。
【００２８】
次に、情報処理装置１０にスキャナ２０を装着して、自動で画像を読取る画像読取り動作（シートフィーダ）について説明する。
先ず、図１３に示すように、スキャナ２０が情報処理装置１０に装着していると判断した（ステップＸ５）後、シェーディング補正及び読取り準備へ移行する（ステップＸ６）。
このシェーディング補正では、白いテープ２３を基準にして、均一な濃さの原稿を読んだときに、スキャナ２０の画像読取素子やレンズ等の光特性により部分的に暗くならないようにするため、白色のテープ２３を基準にして、例えば、画像読取素子への電流量をブロック毎に変えて光量を調整する。また、テープ２３は、スキャナ２０の画像読取りの開始位置となっている。
次に、図１２に示す原稿挿入口２２から原稿を挿入すると、検出レバー４１が押されて、突起４１ｂが孔部２６内に埋没し、検出レバー４１の舌片４１ｃがフォト・インタラプタ４２の光を遮断から非遮断に変化させて、原稿が挿入されたことを用紙送り検出スイッチ４０のＯＮ状態で検出する。
【００２９】
次に、原稿が挿入されたことを検出したことにより、光源５４を点灯させて、原稿にその光源５４の光を入射させ、その反射光を図示しないミラー、レンズを通して、ＣＣＤライン・イメージ・センサに入射させる。
このとき、原稿の進行方向の先端は、ローラ５５とローラ３５との間に挟持された状態で、モータ３３の駆動力により回転するギヤ部３１、上記ローラ５５の回転により、ローラ５５とローラ３５の回転に応じた所定の速度で、原稿が装置１０後方へ排出される。また、ローラ５５の回転に連動して、第１ギヤ５７、第２ギヤ５８、第３ギヤ５９を介して、エンコーダ６０の回転円盤６０ｂのスリット６０ａがフォト・センサ６０ｄの光を横切ることによってパルスが発生し、そのパルスを電気信号としてケーブル６２を通じて装置１０内に入力し、図示しないホストシステムでの画像処理の制御に使用される。
上記ＣＣＤライン・イメージ・センサで読取られた画像信号は、ケーブル６２で電気的に接続された装置１０内に出力されて、ホストシステム等で所定の画像処理が行われ、必要に応じてその原稿の画像を表示部１３に表示する。
【００３０】
次に、この情報処理装置１０からスキャナ２０を取り外し、ハンディ・スキャナとして手動で画像を読取る画像読取り動作について説明する。
図１４のステップＹ６に示すように、装置１０からスキャナ２０を取り外した状態と判断した後、スキャナ２０は装置１０からケーブル６２で接続した状態にある（図１参照）。
先ず、スキャナ２０を手で保持して、原稿の上を所定の速度で前方へ走査させる。ローラ５５が回転することにより、エンコーダ６０は、回転円盤６０ｂが回転して、スリット６０ａがフォト・センサ６０ｄを横切る回数を検出して、そのパルス数を検出して、原稿上を走査した移動量を検出する。そして、上述したように、光源５４を点灯させ、原稿にその光を入射させ、その反射光を図示しないミラー、レンズを通して、ＣＣＤライン・イメージ・センサに入射させる。
上記ＣＣＤライン・イメージ・センサで読取られた画像信号は、ケーブル６２で電気的に接続した外部に出力され、所定の画像処理がホストシステム等で行われ、その原稿の画像を表示部１３に表示させる。
【００３１】
このようにして、スキャナ２０の本体１１への取付け状態を、原稿送りの有無を検出する用紙送り検出スイッチ４０がスキャナ２０の下面部２０ｉに当接して、ＯＮ状態となると共に、スキャナ２０のローラ５５が凹面部２１ｃおよびローラ３５と摺接して回転することで、ローラ５５と連動するエンコーダ６０により所定のパルス数を計数する。これにより、スキャナ２０が装置１０へ装着されたことを検出し、ホストシステムで判断することができる。
また、スキャナ２０を装着した本体１１からこのスキャナ２０を取外すときには、原稿送りの有無を検出する用紙送り検出スイッチ４０がＯＮ状態となると共に、画像読取装置２０のローラ５５が凹面部２１ｃおよびローラ３５と摺接して回転することで、ローラ５５と連動するエンコーダ６０により、所定のパルス数を計数するとともに、原稿送りを検出する用紙送り検出スイッチ４０がスキャナ２０の下面部２０ｉに当接して、一旦ＯＮ状態となることにより、スキャナ２０が装置１０から取外したことを検出することができる。
【００３２】
【発明の効果】
以上のように本発明の情報処理装置は、読取るべき原稿の表面に沿って回転するローラと、該ローラに関連してその回転を検出するための回転検出手段とを有する画像読取装置を本体上に設けられた被着脱部に着脱可能に設け、本体上に原稿の挿入、または排出を検出する用紙送り検出スイッチを設けて、本体の被着脱部に画像読取装置を挿着、または離脱するときに、被着脱部との間でローラを回転させ、且つ画像読取装置を用紙送り検出スイッチと係合させ、用紙送り検出スイッチのＯＮ・ＯＦＦ状態と回転検出手段の出力とにより、画像読取装置の本体への着脱を検出するようにしたので、画像読取装置の本体への装着を検出する検出スイッチを独自に用いたりせずに、原稿の挿着または離脱を検出する回転検出手段が画像読取装置の着脱をも検出することができ、部品点数を削減でき、コストダウンを図ることができる。
【００３３】
また、本体の上面部に搭載したキーボードと、本体の上面部に対して開閉可能な表示部とを設け、表示部から突出し、本体の上面部に軸支された一対の回動軸部間の本体に被着脱部を設けたことにより、表示部を開いた状態で操作している操作者が一旦表示部を閉じたりせずに画像読取装置を取り外し、または取付けすることができ、画像読取装置を操作するまでの準備の手間数が減らして、操作性を向上させることができる。
【００３４】
また、画像読取装置を本体の被着脱部から離脱するときには、本体に沿わせて後方から前方へ画像読取装置のローラを回転させて、このローラの回転に応じて、回転検出手段から出力されたパルスを計数するとともに、本体に設けられた用紙送り検出スイッチをＯＦＦ、ＯＮ、ＯＦＦの順に操作させてなるようにしたことにより、表示部を開いた状態で操作している操作者が、本体から画像読取装置を取外しする際に、情報処理装置の前に座ったままで、画像読取装置の取外しを確実に行うことができ、装置からの画像読取装置の取外しを正確に検出することができる。
【００３５】
また、画像読取装置を本体の被着脱部に挿着するときには、本体に沿わせて前方から後方へ画像読取装置を移動させて、本体に設けられた用紙送り検出スイッチをＯＦＦ，ＯＮ、ＯＦＦの順に操作させるとともに、画像読取装置のローラを回転させて、このローラの回転に応じて、回転検出手段から出力されたパルスを計数するようにしたことにより、表示部を開いた状態で操作している操作者が、本体から画像読取装置を取付けする際に、情報処理装置の前に座ったままで画像読取装置を確実に行うことができ、装置への画像読取装置の取付けを正確に検出することができる。
【図面の簡単な説明】
【図１】本発明の一実施形態に係る情報処理装置において、表示部が開いた状態にあるときの外観構成を示す斜視図である。
【図２】本発明の一実施形態に係る情報処理装置において、表示部が閉じた状態にあるときの外観構成を示す斜視図である。
【図３】本発明の一実施形態に係る情報処理装置の縦断面図である。
【図４】本発明の一実施形態に係る情報処理装置において、スキャナを装着した状態の一部平面図である。
【図５】本発明の一実施形態に係る情報処理装置において、スキャナの一部斜視図である。
【図６】本発明の一実施形態に係る情報処理装置において、スキャナの下面部側の一部斜視図である。
【図７】本発明の一実施形態に係る情報処理装置において、スキャナを装着する本体の平面図である。
【図８】本発明の一実施形態に係る情報処理装置において、スキャナを装着する本体の一部斜視図である。
【図９】本発明の一実施形態に係る情報処理装置において、スキャナの挿着を説明するための要部断面図である。
【図１０】本発明の一実施形態に係る情報処理装置において、スキャナの取付け、取外しを説明するための図７の１０‐１０線の要部断面図、及びスキャナの断面図である。
【図１１】本発明の一実施形態である情報処理装置において、スキャナを挿着したときのスキャナの動作を説明するための断面図である。
【図１２】本発明の一実施形態である情報処理装置において、スキャナの動作を説明するための図４の１２‐１２線の断面図である。
【図１３】本発明の一実施形態である情報処理装置において、本体に装着した際のスキャナの動作手順を説明するためのフローチャート図である。
【図１４】本発明の一実施形態である情報処理装置において、本体から取出して手動でスキャナを使用するときの動作手順を説明するためのフローチャート図である。
【符号の説明】
１０  情報処理装置
１１  本体
１２  キーボード
１３  表示部
１５  回転軸部
１５ａ，１５ｂ  ヒンジ
２０  画像読取装置（スキャナ）
２１ｂ  被着脱部（ガイド受け部）
４１  用紙送り検出スイッチ
５５  ローラ
６０  エンコーダ（回転検出手段）
【図１】
0003560520.tif 000002
【図２】
0003560520.tif 000003
【図３】
0003560520.tif 000004
【図４】
0003560520.tif 000005
【図５】
0003560520.tif 000006
【図６】
0003560520.tif 000007
【図７】
0003560520.tif 000008
【図８】
0003560520.tif 000009
【図９】
0003560520.tif 000010
【図１０】
0003560520.tif 000011
【図１１】
0003560520.tif 000012
【図１２】
0003560520.tif 000013
【図１３】
0003560520.tif 000014
【図１４】
0003560520.tif 000015